(57)【要約】【課題】ラインヘッドの配線構造およびそれを用いた画像形成装置とラインヘッドの配線方法を提供すること。【解決手段】ＦＦＣ８１、８２は同様の形状をした折曲構造としている。ＦＦＣ８１は、ラインヘッド２３の底面（電気接続部）から垂直方向に延在するＡａ部（第１の部分）、Ａａ部と直交方向（水平方向）に延在するＡｂ部（第２の部分）、Ａｂ部を斜め線Ａｘで裏面側に折り曲げ、ラインヘッド２３の軸方向と平行に延在するＡｃ部（第３の部分）、Ａｃ部を下方に折り曲げて垂直方向に延在するＡｄ部（第４の部分）、を設けている。Ａａ部（第１の部分）には、端子ピン、ソケットなどの電気接続端子が設けられている。【選択図】図１
2008080614.tif 000002
【特許請求の範囲】
【請求項１】
像担持体を露光するラインヘッドの電気回路、および本体制御部とをＦＦＣ（フレキシブルフラットケーブル）により電気的に接続する構成であって、前記ＦＦＣを前記ラインヘッドの主走査方向の両側に２本に区分して設け、各ＦＦＣは、先端に電気接続端子を有し、前記ラインヘッドの底面に設けた電気的接続部に前記電気接続端子を対向させて垂直方向に延在させる第１の部分と、前記第１の部分を折り曲げて像担持体の周方向に延在させる第２の部分と、前記第２の部分を斜め線で折り曲げて前記ラインヘッドの主走査方向と平行に延在させる第３の部分と、前記第３の部分を折り曲げて前記像担持体方向に延在させる第４の部分とを設け、前記第３の部分は、各ＦＦＣで向かい合わせとなるように同一線上に配置したことを特徴とする、ラインヘッドの配線構造。
【請求項２】
前記第３の部分は、前記第２の部分を斜め線で裏側に折り曲げて形成したことを特徴とする、請求項１に記載のラインヘッドの配線構造。
【請求項３】
前記第４の部分を折り曲げて前記ラインヘッドの主走査方向と平行な第５の部分を延在させることを特徴とする、請求項１または請求項２に記載のラインヘッドの配線構造。
【請求項４】
前記２本のＦＦＣの幅を変えて、一方のＦＦＣで伝達する情報量を他方のＦＦＣで伝達する情報量よりも多く設定したことを特徴とする、請求項１〜請求項３のいずれかに記載のラインヘッドの配線構造。
【請求項５】
前記発光素子は有機ＥＬ発光素子であることを特徴とする請求項１〜請求項４のいずれかに記載のラインヘッドの配線構造。
【請求項６】
前記像担持体の周囲に帯電手段と、請求項１ないし請求項５のいずれかに記載の配線構造を有するラインヘッドと、現像手段と、転写手段との各画像形成用ユニットを配した画像形成ステーションを少なくとも２つ以上設け、転写媒体が各ステーションを通過することにより、タンデム方式で画像形成を行うことを特徴とする、画像形成装置。
【請求項７】
静電潜像を担持可能に構成された像担持体と、ロータリ現像ユニットと、請求項１ないし請求項５のいずれかに記載の配線構造を備えたラインヘッドとを有し、前記ロータリ現像ユニットは、複数のトナーカートリッジに収納されたトナーをその表面に担持するとともに、所定の回転方向に回転することによって異なる色のトナーを順次前記像担持体との対向位置に搬送し、前記像担持体と前記ロータリ現像ユニットとの間に現像バイアスを印加して、前記トナーを前記ロータリ現像ユニットから前記像担持体に移動させることで、前記静電潜像を顕像化してトナー像を形成することを特徴とする画像形成装置。
【請求項８】
中間転写部材を備えたことを特徴とする、請求項６または請求項７に記載の画像形成装置。
【請求項９】
ラインヘッドの電気回路と本体制御部とをＦＦＣ（フレキシブルフラットケーブル）により電気的に接続する方法であって、前記ＦＦＣを前記ラインヘッドの主走査方向の両側に２本に区分して、各ＦＦＣには、ラインヘッド側と本体制御部側の両端に電気接続端子を設け、前記ラインヘッド側に設けた電気接続端子を前記ラインヘッドの底面に設けた電気的接続部に対向させて垂直方向に延在させる第１の段階と、前記第１の段階で延在させた部分を像担持体の周方向に延在させる第２の段階と、前記第２の段階で延在させた部分を斜め線で折り曲げて前記ラインヘッドの主走査方向と平行に延在させる第３の段階と、前記第３の段階で延在させた部分を像担持体方向に延在させる第４の段階とからなり、前記第３の段階で延在させた部分は、各ＦＦＣで向かい合わせとなるように同一線上に配置したことを特徴とする、ラインヘッドの配線方法。
【発明の詳細な説明】
【技術分野】
【０００１】
本発明は、配線構造を改善したラインヘッドおよびそれを用いた画像形成装置とラインヘッドの配線方法に関する。
【背景技術】
【０００２】
一般に、電子写真方式のトナー像形成手段は、外周面に感光層を有する像担持体としての感光体と、この感光体の外周面を一様に帯電させる帯電手段と、この帯電手段により一様に帯電させられた外周面を選択的に露光して静電潜像を形成する露光手段と、この露光手段により形成された静電潜像に現像剤であるトナーを付与して可視像（トナー像）とする現像手段とを有している。
【０００３】
カラー画像を形成するタンデム方式の画像形成装置としては、上記のようなトナー像形成手段を、中間転写ベルトに対して、複数個（例えば４個）配置する。これら単色トナー像形成手段による感光体上のトナー像を順次中間転写ベルトに転写して、中間転写ベルト上で複数色（例えば、イエロー、シアン、マゼンタ、ブラック（黒））のトナー像を重ね合わせ、中間転写ベルト上でカラー画像を得る中間転写ベルト形式のものがある。
【０００４】
タンデム方式のカラー画像形成装置（プリンター）において、前記露光手段（ラインヘッド）の配線構造に、ＦＦＣ(フレキシブルフラットケーブル)を用いる技術が知られている。例えば、特許文献１には、ラインヘッドに設けた電気部品と制御基板とをＦＦＣで接続することが記載されている。また、ラインヘッドに設けた発光素子の電気回路と、本体側に設けた制御部とをＦＦＣで接続することは、例えば製品番号ＬＳ−Ｃ５０１６Ｎ（京セラ三田株式会社）で実施されている。
【０００５】
【特許文献１】特開２０００−２７２１１１公報
【発明の開示】
【発明が解決しようとする課題】
【０００６】
この種の画像形成装置においては、ラインヘッドの保守点検、部品交換などの際に、昇降機構によりラインヘッドを移動させる場合がある。このため、本体制御部とラインヘッド間を接続しているＦＦＣには、ラインヘッドの移動に対応できるように若干の余裕をもたせて配線がなされている。しかしながら、前記特許文献１に記載のものや、実施品においては、ラインヘッドの移動に十分には対応できず、特に、ラインヘッドの差込口とＦＦＣの電気接続端子とが外れてしまい、両者の再接合に手間取るという問題があった。
【０００７】
本発明は従来技術のこのような問題点に鑑みてなされたものであり、その目的は、ラインヘッドの昇降移動に対応できる構成とした、ラインヘッドの配線構造およびそれを用いた画像形成装置とラインヘッドの配線方法を提供することにある。
【課題を解決するための手段】
【０００８】
本発明のラインヘッドは、像担持体を露光するラインヘッドの電気回路、および本体制御部とをＦＦＣ（フレキシブルフラットケーブル）により電気的に接続する構成であって、前記ＦＦＣを前記ラインヘッドの主走査方向の両側に２本に区分して設け、各ＦＦＣは、先端に電気接続端子を有し、前記ラインヘッドの底面に設けた電気的接続部に前記電気接続端子を対向させて垂直方向に延在させる第１の部分と、前記第１の部分を折り曲げて像担持体の周方向に延在させる第２の部分と、前記第２の部分を斜め線で折り曲げて前記ラインヘッドの主走査方向と平行に延在させる第３の部分と、前記第３の部分を折り曲げて前記像担持体方向に延在させる第４の部分とを設け、前記第３の部分は、各ＦＦＣで向かい合わせとなるように同一線上に配置したことを特徴とする。
【０００９】
また、本発明のラインヘッドの配線構造は、前記第３の部分は、前記第２の部分を斜め線で裏側に折り曲げて形成したことを特徴とする。
【００１０】
また、本発明のラインヘッドの配線構造は、前記第４の部分を折り曲げて前記ラインヘッドの主走査方向と平行な第５の部分を延在させることを特徴とする。
【００１１】
また、本発明のラインヘッドの配線構造は、前記２本のＦＦＣの幅を変えて、一方のＦＦＣで伝達する情報量を他方のＦＦＣで伝達する情報量よりも多く設定したことを特徴とする。
【００１２】
また、本発明のラインヘッドの配線構造は、前記発光素子は有機ＥＬ発光素子であることを特徴とする。
【００１３】
本発明の画像形成装置は、前記像担持体の周囲に帯電手段と、前記いずれかに記載の配線構造を有するラインヘッドと、現像手段と、転写手段との各画像形成用ユニットを配した画像形成ステーションを少なくとも２つ以上設け、転写媒体が各ステーションを通過することにより、タンデム方式で画像形成を行うことを特徴とする。
【００１４】
また、本発明の画像形成装置は、静電潜像を担持可能に構成された像担持体と、ロータリ現像ユニットと、前記いずれかに記載の配線構造を備えたラインヘッドとを有し、前記ロータリ現像ユニットは、複数のトナーカートリッジに収納されたトナーをその表面に担持するとともに、所定の回転方向に回転することによって異なる色のトナーを順次前記像担持体との対向位置に搬送し、前記像担持体と前記ロータリ現像ユニットとの間に現像バイアスを印加して、前記トナーを前記ロータリ現像ユニットから前記像担持体に移動させることで、前記静電潜像を顕像化してトナー像を形成することを特徴とする。
【００１５】
また、本発明の画像形成装置は、中間転写部材を備えたことを特徴とする。
【００１６】
本発明のラインヘッドの配線方法は、ラインヘッドの電気回路と本体制御部とをＦＦＣ（フレキシブルフラットケーブル）により電気的に接続する方法であって、前記ＦＦＣを前記ラインヘッドの主走査方向の両側に２本に区分して、各ＦＦＣには、ラインヘッド側と本体制御部側の両端に電気接続端子を設け、前記ラインヘッド側に設けた電気接続端子を前記ラインヘッドの底面に設けた電気的接続部に対向させて垂直方向に延在させる第１の段階と、前記第１の段階で延在させた部分を像担持体の周方向に延在させる第２の段階と、前記第２の段階で延在させた部分を斜め線で折り曲げて前記ラインヘッドの主走査方向と平行に延在させる第３の段階と、前記第３の段階で延在させた部分を像担持体方向に延在させる第４の段階とからなり、前記第３の段階で延在させた部分は、各ＦＦＣで向かい合わせとなるように同一線上に配置したことを特徴とする。
【発明を実施するための最良の形態】
【００１７】
以下、図により本発明を説明する。図３は、本発明が適用されるタンデム型の画像形成装置の例を示す縦断側面図である。本実施形態の画像形成装置１は、ハウジング本体２と、ハウジング本体２の前面に開閉自在に装着された第１の開閉部材３と、ハウジング本体２の上面に開閉自在に装着された第２の開閉部材（排紙トレイを兼用している）４とを有している。前記第１の開閉部材３は、ハウジング本体２の前面に開閉自在に装着された開閉蓋３'を備えている。ハウジング本体２内には、電源回路基板及び制御回路基板を内蔵する電装品ボックス５、画像形成ユニット６、送風ファン７、転写ベルトユニット９、給紙ユニット１０が配設される。また、第１の開閉部材３内には、二次転写ユニット１１、定着ユニット１２、記録媒体搬送手段１３が設けられている。
【００１８】
転写ベルトユニット９は、ハウジング本体２の下方に配設されており図示を省略した駆動源により回転駆動される駆動ローラ１４と、駆動ローラ１４の斜め上方に配設される従動ローラ１５と、この２本のローラ１４、１５間に張架されて、前記駆動ローラ１４と従動ローラ１５により、矢視方向（図の例では一次転写部材２１の当接面が下方向）へ循環駆動される中間転写ベルト１６とを備えている。クリーニング手段１７は、中間転写ベルト１６の表面に離間、当接される。
【００１９】
画像形成ユニット６は、複数（本実施形態では４色）の異なる色の画像を形成する画像形成ステーションＹ（イエロー用）、Ｍ（マゼンタ用）、Ｃ（シアン用）、Ｋ（ブラック用）を備えている。各画像形成ステーションＹ、Ｍ、Ｃ、Ｋには、それぞれ、感光体ドラムからなる感光体２０、感光体２０の周囲に配設された、帯電手段２２、像書込手段であるラインヘッド２３及び現像手段２４を有している。各色に対応する画像形成ステーションＹ、Ｍ、Ｃ、Ｋの感光体２０に対向して、板バネ電極からなる一次転写部材２１がその弾性力で当接され、一次転写部材２１には転写バイアスが印加されている。駆動ローラ１４に近接した位置には、テストパターンセンサ１８が設置されている。
【００２０】
感光体２０は、矢視方向（時計回り方向）に回転駆動される。帯電手段２２は、高電圧発生源に接続された導電性ブラシローラで構成され、ブラシ外周が感光体２０に対して逆方向（反時計回り方向）で、かつ、感光体２０の２〜３倍の周速度で感光体２０に当接回転して、感光体２０の表面を一様に帯電させる。ラインヘッド２３は、図４に示すように、複数の有機ＥＬ発光素子６１を感光体２０の軸方向（主走査方向）にライン状に２列（図２の７２、７３）配列した、有機ＥＬ発光素子ラインを用いている。有機ＥＬ発光素子ラインを用いたラインヘッド２３は、レーザ走査光学系よりも光路長が短くてコンパクトであり、しかも、感光体２０に対して近接配置が可能であるので、装置全体を小型化できるという利点を有する。また、レーザ走査光学系のように部品点数が多くないので、構成が簡略化される。本実施形態においては、各画像形成ステーションＹ、Ｍ、Ｃ、Ｋの感光体２０、帯電手段２２及びラインヘッド２３を１つの感光体ユニット２５としてユニット化している。
【００２１】
次に、現像手段２４の詳細について、画像形成ステーションＫを例として説明する。現像手段２４は、トナー（図のハッチング部）を貯留するトナー貯留容器２６と、このトナー貯留容器２６内に形成されたトナー貯留部２７と、トナー貯留部２７内に配設されたトナー撹拌部材２９と、トナー貯留部２７の上部に区画形成された仕切部材３０を有している。また、仕切部材３０の上方に配設されたトナー供給ローラ３１と、仕切部材３０に設けられトナー供給ローラ３１に当接されるブレード３２と、トナー供給ローラ３１及び像担持体２０に当接するように配設される現像ローラ３３と、現像ローラ３３に当接される規制ブレード３４とが設けられている。
【００２２】
次に、記録媒体ＰＰの搬送経路に設けられている部材について説明する。給紙ユニット１０は、記録媒体ＰＰが積層保持されている給紙カセット３５と、給紙カセット３５から記録媒体ＰＰを一枚ずつ給送するピックアップローラ３６とからなる給紙部を備えている。第１の開閉部材３内には、二次転写部への記録媒体ＰＰの給紙タイミングを規定するレジストローラ対３７と、駆動ローラ１４及び中間転写ベルト１６に圧接される二次転写手段としての二次転写ユニット１１と、定着ユニット１２と、記録媒体搬送路１３と、排紙ローラ対３９と、両面プリント用搬送路４０を備えている。記録媒体に両面プリントする場合には、片面に画像データを転写、定着した記録媒体を排紙ローラ対３９の位置から逆送して両面プリント用搬送路４０を搬送し、レジストローラ対３７から再度記録媒体搬送路１３で搬送する。
【００２３】
定着ユニット１２は、ハロゲンヒータ等の発熱体を内蔵して回転自在な加熱ローラ４５と、この加熱ローラ４５を押圧付勢する加圧ローラ４６と、加圧ローラ４６に揺動可能に配設されたベルト張架部材４７と、加圧ローラ４５とベルト張架部材４７間に張架された耐熱ベルト４９を有している。記録媒体に二次転写されたカラー画像は、加熱ローラ４５と耐熱ベルト４９で形成するニップ部で所定の温度で記録媒体に定着される。図３の例では、画像形成装置は、像担持体の周囲に帯電手段と、請求項１ないし請求項７のいずれかに記載のラインヘッドと、現像手段と、転写手段との各画像形成用ユニットを配した画像形成ステーションを少なくとも２つ以上設け、転写媒体が各ステーションを通過することにより、タンデム方式で画像形成を行うものである。
【００２４】
図４は、本発明のラインヘッド２３を拡大して示す概略の斜視図である。図４において、発光部６３は、ガラス基板６２上に発光素子６１を主走査方向にライン状に配列した有機ＥＬ発光素子ライン７２、７３を有している。この発光部６３は、主走査方向に長尺状に設けられているハウジング６０中に保持されている。本実施形態では、主走査方向に２ラインの発光素子ラインを設けているが、有機ＥＬ発光素子ラインは３列以上の複数ラインとすることが可能である。
【００２５】
図４に示す実施形態においては、感光体ユニット２５に取り付けられた各感光体２０に対して、ラインヘッド２３を正確に位置決めするために、位置決めピン６９とねじ挿入孔６８を設けている。位置決めピン６９を、図示を省略したラインヘッド２３のケースの対向する位置決め穴に嵌入させる。位置決めピン６９と位置決め穴とは主走査方向に若干の隙間を持って嵌入され、ラインヘッド２３の主走査方向への位置調整が可能に設定されている。また、長尺のハウジング６０の両端に設けたねじ挿入孔６８を通して、固定ねじを前記ラインヘッド２３のケースのねじ穴にねじ込んで固定することにより、各ラインヘッド２３が所定位置に固定される。
【００２６】
屈折率分布型ロッドレンズアレイ６５は結像光学系を構成し、発光部６３の前面に配置される屈折率分布型ロッドレンズ６６を俵積みしている。本実施形態においては、結像光学系として屈折率分布型ロッドレンズ６６を採用しているが、結像光学系としてマイクロレンズを採用しても良い。ハウジング６０は、ガラス基板６２の周囲を覆い、感光体２０に面した側は開放する。このようにして、屈折率分布型ロッドレンズ６６から感光体（像担持体）２０に光線Ｒを射出する。
【００２７】
図２は、図４で説明したラインヘッド２３の一例を示す図であり、（ａ）は平面図、（ｂ）は正面図である。前記したように、この実施形態においては、ガラス基板６２に、主走査方向に多数の有機ＥＬ素子を用いた発光素子を配列した有機ＥＬ発光素子ライン７２、７３を、副走査方向に間隔Ｌａを介して設けている。各発光素子ライン７２、７３の発光素子６１は、主走査方向の位置をずらして設けられており、各発光素子６１に対する配線７２ａ、７３ａが容易に行なえる。７１は、各発光素子６１の駆動回路であり、例えばＴＦＴにより各発光素子６１を制御する。
【００２８】
８１、８２は、ラインヘッド２３の軸方向（主走査方向）両側に分離して設けたＦＦＣで、一端に形成した端子部８３、８４を、図示されていないラインヘッドの電気接続部と接合する。例えば、端子部８３、８４に端子ピン（電気接続端子）を設け、ラインヘッドの電気接続部は当該端子ピンの差込口とすることができる。また、ＦＦＣ８１、８２の他端にも電気接続端子を設け、図示されていない本体側の制御部と電気的に接続する。
【００２９】
図１は、本発明の実施形態にかかるラインヘッドにＦＦＣを接続した状態を示す斜視図である。図１において、ＦＦＣ８１、８２は同様の形状をした折曲構造としている。ＦＦＣ８１は、ラインヘッド２３の底面（電気接続部）から垂直方向に延在するＡａ部（第１の部分）、Ａａ部と直交方向（水平方向）に延在するＡｂ部（第２の部分）、Ａｂ部を斜め線Ａｘで裏面側に折り曲げ、ラインヘッド２３の軸方向と平行に延在するＡｃ部（第３の部分）、Ａｃ部を下方に折り曲げて垂直方向に延在するＡｄ部（第４の部分）、を設けている。Ａａ部（第１の部分）には、図２（ｂ）で説明したような端子ピン、ソケットなどの電気接続端子が設けられている。Ａｂ部（第２の部分）は、像担持体（感光体）の周方向に延在させている。また、Ａｄ部（第４の部分）は、Ａｃ部（第３の部分）からラインヘッド２３とは反対方向、すなわち、像担持体方向に延在させている。
【００３０】
ＦＦＣ８２は、ラインヘッド２３の底面（電気接続部）から垂直方向に延在するＢａ部、Ｂａ部と直交してＢａ部より水平方向に延在するＢｂ部、Ｂｂ部を斜め線Ｂｘで裏面側に折り曲げ、ラインヘッド２３の軸方向と平行に延在するＢｃ部、Ｂｃ部を下方に折り曲げて垂直方向に延在するＢｄ部、を設けている。ここで、前記ＦＦＣ８１のＡｃ部とＦＦＣ８２のＢｃ部とは、互いにラインヘッドの主走査方向で向き合うように同一線上に配線される。
【００３１】
図１のように各ＦＦＣ８１、８２を配置してから、各ＦＦＣ８１、８２の両端に設けた電気接続端子の一方をラインヘッドの電気接続部と接続し、他方の電気接続端子を本体側に設けた制御部の電気接続部と接続する。本体側に設けた制御部の電気接続部は適宜の位置に設けられるが、ラインヘッド２３の側面に設ける場合には、第４の接続部Ａｄ、Ｂｄを折り返して、さらにラインヘッド２３の主走査方向と平行に第５の部分Ａｅ、Ｂｅを延在させる構成とすることができる。この場合には、第５の部分Ａｅ、Ｂｅは図示上側にＢｅ、下側にＡｅを配置する。
【００３２】
ＦＦＣをこのような構造としているので、ラインヘッド２３を昇降機構により、上下方向に移動した場合には、ＦＦＣ８１、８２の斜めの折曲げ線Ａｘ、ＢｘでＦＦＣ８１、８２の伸縮を吸収する。特に、斜め線Ａｘ、ＢｘでＦＦＣ８１、８２の裏側に折り曲げているので、ラインヘッド２３が上下に昇降する際に、斜め線Ａｘ、Ｂｘを基準として、水平部分Ａｂ、Ｂｂはラインヘッドの主走査線方向と平行な部分Ａｃ、Ｂｃから、支障なく離間、または接近する。このため、ラインヘッドの電気接続部とＦＦＣ８１、８２の電気接続端子（コネクタ）との連結が外れないようにすることができる。斜め線Ａｘ、Ｂｘで表側に折り曲げると、前記平行な部分Ａｃ、Ｂｃに遮られて、水平部分Ａｂ、Ｂｂの上下方向への伸縮作用は制限される。
【００３３】
また、ＦＦＣ８１、８２は、ラインヘッド２３の下方の空きスペースを巧みに利用して設置されているので、省スペース化が図れる。なお、図１ではＦＦＣ８１、８２の幅を同じものとして説明しているが、一方の幅を他方よりも広くしても良い。この場合には、広い幅のＦＦＣには、光量補正データの制御線を設けるなどして、２つのＦＦＣの情報量を変えることができる。このため、多様な用途に対応できる。
【００３４】
次に、本発明に係る画像形成装置に係る他の実施の形態について説明する。図５は、画像形成装置の縦断側面図である。図５において、画像形成装置１６０には主要構成部材として、ロータリ構成の現像装置１６１、像担持体として機能する感光体ドラム１６５、有機ＥＬアレイが設けられている像書込手段（ラインヘッド）１６７、中間転写ベルト１６９、用紙搬送路１７４、定着器の加熱ローラ１７２、給紙トレイ１７８が設けられている。
【００３５】
現像装置１６１は、現像ロータリ１６１ａが軸１６１ｂを中心として矢視Ａ方向に回転する。現像ロータリ１６１ａの内部は４分割されており、それぞれイエロー（Ｙ）、シアン（Ｃ）、マゼンタ（Ｍ）、ブラック（Ｋ）の４色の像形成ユニットが設けられている。１６２ａ〜１６２ｄは、前記４色の各像形成ユニットに配置されており、矢視Ｂ方向に回転する現像ローラ、１６３ａ〜１６３ｄは、矢視Ｃ方向に回転するトナ−供給ローラである。また、１６４ａ〜１６４ｄはトナーを所定の厚さに規制する規制ブレードである。
【００３６】
１６５は、前記のように像担持体として機能する感光体ドラム、１６６は一次転写部材、１６８は帯電器、１６７は像書込手段で有機ＥＬアレイが設けられている。感光体ドラム１６５は、図示を省略した駆動モータ、例えばステップモータにより現像ローラ１６２ａとは逆方向の矢視Ｄ方向に駆動される。
【００３７】
中間転写ベルト１６９は、従動ローラ１７０ｂと駆動ローラ１７０ａ間に張架されており、駆動ローラ１７０ａが前記感光体ドラム１６５の駆動モータに連結されて、中間転写ベルトに動力を伝達している。当該駆動モータの駆動により、中間転写ベルト１６９の駆動ローラ１７０ａは感光体ドラム１６５とは逆方向の矢視Ｅ方向に回動される。
【００３８】
用紙搬送路１７４には、複数の搬送ローラと排紙ローラ対１７６などが設けられており、用紙を搬送する。中間転写ベルト１６９に担持されている片面の画像（トナー像）が、二次転写ローラ１７１の位置で用紙の片面に転写される。二次転写ローラ１７１は、クラッチにより中間転写ベルト１６９に離当接され、クラッチオンで中間転写ベルト１６９に当接されて用紙に画像が転写される。
【００３９】
上記のようにして画像が転写された用紙は、次に、定着ヒータを有する定着器で定着処理がなされる。定着器には、加熱ローラ１７２、加圧ローラ１７３が設けられている。定着処理後の用紙は、排紙ローラ対１７６に引き込まれて矢視Ｆ方向に進行する。この状態から排紙ローラ対１７６が逆方向に回転すると、用紙は方向を反転して両面プリント用搬送路１７５を矢視Ｇ方向に進行する。１７７は電装品ボックス、１７８は用紙を収納する給紙トレイ、１７９は給紙トレイ１７８の出口に設けられているピックアップローラである。印字される記録紙の枚数は、給紙トレイ近傍など、給紙搬送路の適宜の位置に設けられるセンサによりカウントされる。
【００４０】
用紙搬送路において、搬送ローラを駆動する駆動モータは、例えば低速のブラシレスモータが用いられる。また、中間転写ベルト１６９は色ずれ補正などが必要となるのでステップモータが用いられている。これらの各モータは、図示を省略している制御手段からの信号により制御される。
【００４１】
図の状態で、イエロー（Ｙ）の静電潜像が感光体ドラム１６５に形成され、現像ローラ６２ａに高電圧が印加されることにより、感光体ドラム１６５にはイエローの画像が形成される。イエローの裏側および表側の画像がすべて中間転写ベルト１６９に担持されると、現像ロータリ１６１ａが矢視Ａ方向に９０度回転する。中間転写ベルト１６９は１回転して感光体ドラム１６５の位置に戻る。次にシアン（Ｃ）の２面の画像が感光体ドラム１６５に形成され、この画像が中間転写ベルト１６９に担持されているイエローの画像に重ねて担持される。以下、同様にして現像ロータリ１６１の９０度回転、中間転写ベルト１６９への画像担持後の１回転処理が繰り返される。
【００４２】
４色のカラー画像担持には中間転写ベルト１６９は４回転して、その後に更に回転位置が制御されて二次転写ローラ１７１の位置で用紙に画像を転写する。給紙トレー１７８から給紙された用紙を搬送路１７４で搬送し、二次転写ローラ１７１の位置で用紙の片面に前記カラー画像を転写する。片面に画像が転写された用紙は前記のように排紙ローラ対１７６で反転されて、搬送径路で待機している。その後、用紙は適宜のタイミングで二次転写ローラ１７１の位置に搬送されて、他面に前記カラー画像が転写される。ハウジング１８０には、排気ファン１８１が設けられている。
【００４３】
以上、本発明の実施形態について説明したが、本発明は前記実施形態に限定されるものではない。
【図面の簡単な説明】
【００４４】
【図１】本発明の実施形態を示す斜視図である。
【図２】本発明の実施形態を示す説明図である。
【図３】本発明に係る画像形成装置を示す縦断側面図である。
【図４】本発明の実施形態を示す説明図である。
【図５】本発明の他の画像形成装置を示す縦断側面図である。
【符号の説明】
【００４５】
１・・・画像形成装置、２・・・ハウジング本体、３・・・第１の開閉部材、６・・・画像形成ユニット、９・・・転写ベルトユニット、１０・・・給紙ユニット、１１・・・二次転写ユニット、１２・・・定着ユニット、１３・・・記録媒体搬送路、１６・・・中間転写ベルト、２０・・・感光体（像担持体）、２１・・・一次転写部材、２２・・・帯電手段、２３・・・ラインヘッド、２４・・・現像手段、２５・・・感光体ユニット、３３・・・現像ローラ、６０・・・ハウジング、６１・・・有機ＥＬ発光素子、６２・・・ガラス基板、６３・・・発光部、６５・・・屈折率分布型ロッドレンズアレイ、６６・・・屈折率分布型ロッドレンズ、７１・・・駆動回路、７２、７３・・・有機ＥＬ発光素子ライン、８１、８２・・・ＦＦＣ、８３、８４・・・端子部
【図１】
2008080614.tif 000003
【図２】
2008080614.tif 000004
【図３】
2008080614.tif 000005
【図４】
2008080614.tif 000006
【図５】
2008080614.tif 000007